(57)【特許請求の範囲】
【請求項１】
四角状の枠フレーム内に複数の補強フレームが設けられ、この複数の補強フレームに下地板が載置され、この下地板の上面に屋根材が載置される玄関庇であって、
前記枠フレームの軒元部の内側に下側挟持部材を配置し、前記下地板の軒元部の上面に上側挟持部材を配置して当該下地板の軒元部を上下から挟持し、この状態で前記枠フレームの軒元部を建物本体の梁に当接して取り付け、
前記下側挟持部材または前記上側挟持部材の少なくとも一方に木材を使用したことを特徴とする玄関庇。
【請求項２】
請求項１に記載の玄関庇において、
前記下側挟持部材に断熱材を使用し、前記上側挟持部材に木材を使用したことを特徴とする玄関庇。
【請求項３】
請求項１または請求項２に記載の玄関庇において、
前記下地板が傾斜して配置される場合には、前記下地板の軒元部に接触する前記下側挟持部材の上端と前記上側挟持部材の下端とを前記下地板の傾斜に合わせて斜めになるように形成したことを特徴とする玄関庇。
【請求項４】
請求項１〜請求項３のいずれか１項に記載の玄関庇において、
当該玄関庇を、前記建物本体の外面に形成されたＬ字状の部分で直交する２本の梁に当接して取り付ける場合には、前記枠フレームの軒元部を一方の梁に当接して取り付ける一方、前記枠フレームの他方の梁側部分の内側に下側挟持部材を配置し、前記下地板で他方の梁側部分の上面に上側挟持部材を配置して当該下地板の他方の梁側部分を上下から挟持し、前記枠フレームの他方の梁側部分を他方の梁に当接して取り付けたことを特徴とする玄関庇。
【請求項５】
請求項４に記載の玄関庇において、
当該玄関庇に縦樋を設ける場合には、前記複数の補強フレームを、前記枠フレーム内で前記建物本体の前記Ｌ字状の部分のコーナー部と対向するコーナー部を外して並設し、前記下地板の上面で前記枠フレームの前記コーナー部と対応する位置に前記縦樋を通すための挿通部を設け、前記屋根材で前記挿通部と対応する位置に前記縦樋を通すための挿通穴を設けたことを特徴とする玄関庇。
【請求項６】
請求項５に記載の玄関庇において、
前記枠フレームの他方の梁側部分を水下側、これと対向する側を水上側とした場合には、前記屋根材の上面を水下側が低くなるように構成したことを特徴とする玄関庇。
【請求項７】
請求項６に記載の玄関庇において、
前記複数の補強フレームを水下側が低くなるように形成して前記下地板の水下側を低くすることにより、前記屋根材の上面を水下側が低くなるように構成したことを特徴とする玄関庇。
【請求項８】
請求項５〜請求項７のいずれか１項に記載の玄関庇において、
前記屋根材の水下側を箱樋により構成し、この箱樋の底面に前記挿通穴を設けたことを特徴とする玄関庇。
【発明の詳細な説明】
【技術分野】
【０００１】
本件発明は、玄関庇に関する。
【背景技術】
【０００２】
従来、玄関庇は、一般的に特許文献１に記載されているように四角状の枠フレーム内に複数の補強フレームが設けられている。この複数の補強フレームには下地板が載置されており、この下地板の上面には屋根材が載置されている。この玄関庇では、枠フレームの軒元部が、建物本体の梁に当接して取り付けられている。
【０００３】
しかし、特許文献１に記載されている玄関庇では、枠フレームを建物本体の梁に直接取り付けている。このため、火災時には、建物本体からの火が屋根材にまわりやすい。これを防ぐために、特許文献２に記載されているように、玄関庇を木桟を介して梁に取り付ける構成が検討されている。その他には、枠フレームの軒元部の内側に木桟を配置し、この木桟に屋根材を固定する構成が検討されている。このようにすると、建物本体からの火が屋根材にまわるのが遅れ、建物の全焼を防ぐことが可能になる。
【先行技術文献】
【特許文献】
【０００４】
【特許文献１】特開２００９−０９１７５３号公報
【特許文献２】特開平６−２８８０３１号公報
【発明の概要】
【発明が解決しようとする課題】
【０００５】
しかしながら、玄関庇を木桟を介して梁に取り付ける構成や、枠フレームの軒元部の内側に木桟を配置し、この木桟に屋根材を固定する構成では、屋根材が補強フレームだけで支持されている。そのため、屋根材に雪が積もったときに、雪の重みで屋根材が撓んでしまうおそれがある。
【０００６】
本件発明は、このような従来の課題に鑑みてなされたものであり、防火機能の低下を抑えつつ、屋根材の積雪による撓みを防ぐことができる玄関庇を提供することを目的とする。
【課題を解決するための手段】
【０００７】
本件発明者等は、鋭意研究の結果、前記課題を解決するために以下のような玄関庇を採用した。
【０００８】
本件発明の玄関庇は、四角状の枠フレーム内に複数の補強フレームが設けられ、この複数の補強フレームに下地板が載置され、この下地板の上面に屋根材が載置される玄関庇であって、
前記枠フレームの軒元部の内側に下側挟持部材を配置し、前記下地板の軒元部の上面に上側挟持部材を配置して当該下地板の軒元部を上下から挟持し、この状態で前記枠フレームの軒元部を建物本体の梁に当接して取り付け、
前記下側挟持部材または前記上側挟持部材の少なくとも一方に木材を使用したことを特徴としている。
また、本件発明の玄関庇において、前記下側挟持部材に断熱材を使用し、前記上側挟持部材に木材を使用することが好ましい。
また、本件発明の玄関庇において、前記下地板が傾斜して配置される場合には、前記下地板の軒元部に接触する前記下側挟持部材の上端と前記上側挟持部材の下端とを前記下地板の傾斜に合わせて斜めになるように形成することが好ましい。
【０００９】
ここで、玄関庇を、建物本体の外面に形成されたＬ字状の部分で直交する２本の梁に当接して取り付ける場合には、枠フレームの軒元部を一方の梁に当接して取り付ける。そして、枠フレームの他方の梁側部分の内側に下側挟持部材を配置し、下地板で他方の梁側部分の上面に上側挟持部材を配置して当該下地板の他方の梁側部分を上下から挟持し、枠フレームの他方の梁側部分を他方の梁に当接して取り付けることが好ましい。
【００１０】
また、玄関庇に縦樋を設ける場合には、複数の補強フレームを、枠フレーム内で建物本体のＬ字状の部分のコーナー部と対向するコーナー部を外して並設し、下地板の上面で枠フレームのコーナー部と対応する位置に縦樋を通すための挿通部を設け、屋根材で挿通部と対応する位置に縦樋を通すための挿通穴を設けることが好ましい。
【００１１】
また、枠フレームの他方の梁側部分を水下側、これと対向する側を水上側とした場合には、屋根材の上面を水下側が低くなるように構成しても良い。
【００１２】
具体的には、複数の補強フレームを水下側が低くなるように形成して下地板の水下側を低くすることにより、屋根材の上面を水下側が低くなるように構成しても良い。
【００１３】
また、屋根材の水下側を箱樋により構成し、この箱樋の底面に挿通穴を設けても良い。
【発明の効果】
【００１４】
本件発明の玄関庇では、下地板の軒元部を挟持部材で上下から挟持するようにした。これにより、屋根材が補強フレームと挟持部材とで支持されるので、屋根材に雪が積もっても、雪の重みで屋根材が撓んでしまうおそれがなくなる。また、屋根材の軒元側には挟持部材が配置されているので、建物本体で火災が発生しても屋根材に火がまわるのを遅らすことが可能になる。よって、本件発明の玄関庇は、防火機能の低下を抑えつつ、屋根材の積雪による撓みを防ぐことができる。
【図面の簡単な説明】
【００１５】
【図１】本件発明の第１の実施の形態の玄関庇と建物本体のＬ字状の部分の斜視図である。
【図２】玄関庇の分解斜視図である。
【図３】屋根材と玄関庇本体の斜視図である。
【図４】図３の玄関庇本体のＢ−Ｂ断面図である。
【図５】図３の玄関庇本体のＣ−Ｃ断面図である。
【図６】図１の玄関庇を建物本体のＬ字状の部分に取り付けたときのＡ−Ａ断面図である。
【図７】本件発明の第２の実施の形態の玄関庇の断面図である。
【図８】本件発明の第３の実施の形態の玄関庇の分解斜視図である。
【図９】同実施の形態の屋根材と玄関庇本体の斜視図である。
【図１０】図９の玄関庇本体のＤ−Ｄ断面図である。
【図１１】図９の玄関庇本体のＥ−Ｅ断面図である。
【図１２】図９の玄関庇本体のＦ−Ｆ断面図である。
【発明を実施するための形態】
【００１６】
以下、本件発明の実施の形態を図にしたがって説明する。
【００１７】
（第１の実施の形態）
図１は、本件発明の第１の実施の形態の玄関庇１と建物本体１００のＬ字状の部分１０１の斜視図である。建物本体１００は２階建てであり、Ｌ字状の部分１０１は建物本体１００の外面にＬ字状に形成されている。玄関庇１は、Ｌ字状の部分１０１の２階部分で左右に直交する床梁１０２、１０３に当接して取り付けられる。
【００１８】
左側（桁側）の床梁１０２の中間部分には、それぞれ断面視Ｌ字形の取付金具１１０が取り付けられている。また、右側（妻側）の床梁１０３のコーナー部１０１ａ側と反対側の柱１０４にも、断面視Ｌ字形の取付金具１１０が取り付けられている。取付金具１１０は水平片１１１と垂直片１１２とを備えている。水平片１１１には、玄関庇１を固定するための複数のボルト孔１１３が設けられている。左側の取付金具１１０の垂直片１１２はボルト１１４により床梁１０２に固定されている。右側の取付金具１１０の垂直片１１２はボルト１１４により柱１０７に固定されている。また、コーナー部１０１ａ側の柱１０４の下端と、床梁１０２、１０３においてコーナー部１０１ａ側と反対側の下端に、玄関庇１を固定するための複数のボルト孔１０５が設けられている。
【００１９】
次に、玄関庇１の構成について説明する。図２は玄関庇１の分解斜視図である。玄関庇１は、枠体２、軒天受木桟３、軒天４、下側挟持部材５、下地板６、上側挟持部材７、屋根材８とを備えている。
【００２０】
枠体２は、枠フレーム２０と、補強フレーム２１〜２５とを備えている。枠フレーム２０は四角形の枠状に形成され、軒元部２０ａ、軒先部２０ｂ、水上部２０ｃ、水下部２０ｄを有している。なお、本実施の形態では、枠フレーム２０で右側の床梁１０３と対応する側を水下側、これと対向する側を水上側とする。
【００２１】
軒元部２０ａは、図１に示した２階部分の左側の床梁１０２に当接する部分である。軒先部２０ｂは軒元部２０ａと対向し、床梁１０２、１０３とは当接しない部分である。水下部２０ｄは軒元部２０ａの右側に隣接し、図１に示した２階部分の右側の床梁１０３に当接する部分である。水上部２０ｃは水下部２０ｄと対向し、床梁１０２、１０３とは当接しない部分である。
【００２２】
補強フレーム２１〜２５は枠フレーム２０内の水上側から水下側に並設されており、枠フレーム２０の変形を防ぐものである。補強フレーム２１〜２５の設置に際しては、枠フレーム２０内でコーナー部１０１ａと対向するコーナー部２０ｓに水下側の補強フレーム２５が設置されないようにしている。この理由は、このコーナー部２０ｓに縦樋（図示せず）が配置されることによる。
【００２３】
また、各補強フレーム２１〜２５は断面コ字状（Ｃ字状）に形成されており、両端が軒元部２０ａの内面と軒先部２０ｂの内面とに結合されている。さらに、各補強フレーム２１〜２５自体は同じ高さに形成され、全体的には水上側から水下側へかけて低くなるように形成されている。
【００２４】
また、各補強フレーム２１〜２５を、水上側から順に第１補強フレーム２１、第２補強フレーム２２、第３補強フレーム２３、第４補強フレーム２４、第５補強フレーム２５とする。ここで、中間に位置する第３補強フレーム２３と第４補強フレーム２４は高低差が大きく設定されている。なお、本実施の形態では５本の補強フレーム２１〜２５を使用したが、補強フレームの使用本数は特に限定されない。また、高低差を大きく設定する２本の補強フレームの設定位置も本実施の形態のように中間位置に限定しなくても良い。
【００２５】
一方、枠フレーム２０の軒元部２０ａの側面には、各補強フレーム２１〜２５間に複数のネジ孔２０ｆが設けられている。
【００２６】
また、軒先部２０ｂと水上部２０ｃの各上端には、上フランジ２０ｇが内側に向けて形成されている。さらに、軒元部２０ａ、軒先部２０ｂ、水下部２０ｄ、水上部２０ｃの各下端には、下フランジ２０ｈが内側に向いて形成されている。
【００２７】
軒元部２０ａに形成されている下フランジ２０ｈには、高低差が大きい第３補強フレーム２３と第４補強フレーム２４との間に複数のボルト孔２０ｉが設けられている。このボルト孔２０ｉは、図１に示した左側（桁側）の取付金具１１０の水平片１１１のボルト孔１１３と対応するものである。
【００２８】
水下部２０ｄに形成されている下フランジ２０ｈの軒先側には、複数のボルト孔２０ｉが設けられている（図６参照）。このボルト孔２０ｉは、図１に示した右側（妻側）の取付金具１１０の水平片１１１のボルト孔１１３と対応するものである。
【００２９】
軒天受木桟３は棒状に形成されており、枠フレーム２０の下側に補強フレーム２１〜２５と垂直に交差するように５本配置されるように形成されている。軒天４は平板状に形成されており、軒天受木桟３を介して枠フレーム２０の下側に取り付けられるように形成されている。なお、本実施の形態では５本の軒天受木桟３を使用したが、軒天受木桟３の使用本数は特に限定されない。
【００３０】
下側挟持部材５、下地板６、上側挟持部材７は、枠体２内で下から順に配置される部材である。以下に、各部材を説明する。
【００３１】
下側挟持部材５は、断熱材５ａ〜５ｆと、下木桟５ｇとを備えている。
【００３２】
断熱材５ａ〜５ｆは、枠体２内の軒元部２０ａ側に配置される部材である。この断熱材５ａ〜５ｆは直方体状に形成され、水上側から水下側へかけて低くなるように形成されている。各断熱材５ａ〜５ｆを、水上側から順に第１断熱材５ａ、第２断熱材５ｂ、第３断熱材５ｃ、第４断熱材５ｄ、第５断熱材５ｅ、第６断熱材５ｆとする。
【００３３】
第１断熱材５ａは、水上部２０ｃと第１補強フレーム２１との間の下フランジ２０ｈに配置されるように形成されている。第２断熱材５ｂは、第１補強フレーム２１と第２補強フレーム２２との間の下フランジ２０ｈに配置されるように形成されている。第３断熱材５ｃは、第２補強フレーム２２と第３補強フレーム２３との間の下フランジ２０ｈに配置されるように形成されている。
【００３４】
第４断熱材５ｄは、第３補強フレーム２３と第４補強フレーム２４との間の下フランジ２０ｈに配置されるように形成されている。第５断熱材５ｅは、第４補強フレーム２４と第５補強フレーム２５との間の下フランジ２０ｈに配置されるように形成されている。第６断熱材５ｆは、第５補強フレーム２５と水下部２０ｄとの間の軒元部２０ａ側の下フランジ２０ｈに配置されるように形成されている。
【００３５】
下木桟５ｇは、枠体２内の水下部２０ｄ側に配置される部材である。この下木桟５ｇは棒状に形成されており、枠フレーム２０の水下部２０ｄに形成されている下フランジ２０ｈに配置されるように形成されている。
【００３６】
下地板６は、断熱材５ａ〜５ｆおよび下木桟５ｇの上側に配置される。この下地板６は、水上側から水下側にかけての方向で２分割したもの（第１下地板６ａ、第２下地板６ｂ）から構成されている。
【００３７】
第１下地板６ａは矩形の平板状に形成されており、第１補強フレーム２１〜第３補強フレーム２３と第１断熱材５ａ〜第３断熱材５ｃに載置される。また第１下地板６ａは、これらの部材に載置されたときには、その高低差を利用して水上側から水下側へ傾斜して配置される。
【００３８】
第２下地板６ｂは平板状に形成されており、第４補強フレーム２４〜第５補強フレーム２５と、第４断熱材５ｄ〜第６断熱材５ｆと、下木桟５ｇとに載置される。また、第２下地板６ｂは、これらの部材に載置されたときには、その高低差を利用して水上側から水下側へ傾斜して配置される。また、第２下地板６ｂには、枠フレーム２０のコーナー部２０ｓと対応する位置に、縦樋（図示せず）を通すための挿通部として切欠き６ｓが形成されている。
【００３９】
上側挟持部材７は、第１上木桟７ａと、第２上木桟７ｂと、第３上木桟７ｃとを備えている。
【００４０】
第１上木桟７ａは棒状に形成されており、第１下地板６ａの軒元部６ｃの上面に載置される。ここで第１下地板６ａは水上側から水下側に傾斜している。このため、第１上木桟７ａは、載置時に上面が軒先側の上フランジ２０ｇの上面と同じ高さになるように、水上側から水下側へかけて高くなるように形成されている。
【００４１】
第２上木桟７ｂは棒状に形成されており、第２下地板６ｂの軒元部６ｃの上面に載置される。ここで第２下地板６ｂは水上側から水下側に傾斜している。このため、第２上木桟７ｂは、載置時に、その上面が枠フレーム２０の軒先側の上フランジ２０ｇの上面と同じ高さになるように、水上側から水下側へかけて高くなるように形成されている。
【００４２】
第３上木桟７ｃは棒状に形成されており、第２下地板６ｂの水下部６ｄの上面に載置される。ここでの水下部６ｄの上面は傾斜していない。このため、第３上木桟７ｃは、載置時に、その上面が枠フレーム２０の水上側の上フランジ２０ｇの上面と同じ高さになるように、全体にわたって同じ高さに形成されている。
【００４３】
屋根材８は、水上側から水下側にかけての方向で２分割したもの（第１屋根材８ａ、第２屋根材８ｂ）から構成されている。
【００４４】
第１屋根材８ａは、第１下地板６ａを覆うように平板状に形成されている。第１屋根材８ａの軒元側には、第１上木桟７ａを覆うフランジ８ｃが起立して形成されている。また、第１屋根材８ａの軒先側には、枠フレーム２０の軒先側の上フランジ２０ｇを覆うフランジ８ｄが起立して形成されている。双方のフランジ８ｃ、８ｄには、複数のネジ孔８ｋが設けられている。さらに、第１屋根材８ａの水上側には、枠フレーム２０の水上側の上フランジ２０ｇを覆うフランジ８ｅが形成されている。また、第１屋根材８ａの水下側には、第１下地板６ａの水下側の端面を覆うフランジ８ｉが形成されている。
【００４５】
第２屋根材８ｂは、第２下地板６ｂを覆うように箱樋から構成されている。第２屋根材８ｂの軒元側には、第２上木桟７ｂを覆うフランジ８ｆが形成されている。また、第２屋根材８ｂの軒先側には、枠フレーム２０の軒先側の上フランジ２０ｇを覆うフランジ８ｇが形成されている。さらに、第２屋根材８ｂの水下側には、第３上木桟７ｃを覆うフランジ８ｈが形成されている。各フランジ８ｆ〜８ｈには、複数のネジ孔８ｋが設けられている。第２屋根材８ｂの水上側には、第１屋根材８ａの水下側のフランジ８ｉと接合するフランジ８ｊが形成されている。
【００４６】
また、第２屋根材８ｂの底面には、第２下地板６ｂの切欠き６ｓと対応する位置に、縦樋（図示せず）を通すための挿通穴８ｓが形成されている。
【００４７】
次に、玄関庇１の組立方法について説明する。玄関庇１の組立は、下側挟持部材設置工程、軒天設置工程、下地板設置工程、上側挟持部材設置工程、屋根材設置工程の順に行う。以下に、各工程について説明する。
【００４８】
（下側挟持部材設置工程）
断熱材５ａ〜５ｆと下木桟５ｇを枠体２内の軒元側と水下側にそれぞれ入れ、枠体２の外側からネジ１０（図６参照）をネジ孔２０ｆに通して、断熱材５ａ〜５ｆと下木桟５ｇを枠体２内に固定する。
【００４９】
（軒天設置工程）
枠体２を裏返し、補強フレーム２１〜２５に軒天受木桟３を介して軒天４を載せ、ネジ（図示せず）を用いて軒天４を補強フレーム２１〜２５に固定する。
【００５０】
（下地板設置工程）
枠体２を表に戻し、第１下地板６ａを補強フレーム２１〜２３と断熱材５ａ〜５ｃに載せて枠体２内に配置し、ネジ（図示せず）を用いて補強フレーム２１〜２３に固定する。
次に、第２下地板６ｂを補強フレーム２４、２５と断熱材５ｄ〜５ｆに載せて枠体２内に配置し、ネジ（図示せず）を用いて補強フレーム２４、２５に固定する。
【００５１】
（上側挟持部材設置工程）
第１上木桟７ａを第１下地板６ａの軒元部６ｃの上面に載せて枠体２内に配置し、外側からネジ１０（図６参照）をネジ孔２０ｆに通して固定する。
次に、第２上木桟７ｂを第２下地板６ｂの軒元部６ｃの上面に載せて枠体２内に配置し、外側からネジ１０（図６参照）をネジ孔２０ｆに通して固定する。
最後に、第３上木桟７ｃを第２下地板６ｂの水下部６ｄの上面に載せて枠体２内に配置し、外側からネジ１０（図６参照）をネジ孔２０ｆに通して固定する。この結果、玄関庇１は、図３に示すように、屋根材８と、玄関庇本体９とになる。
【００５２】
図４は図３の玄関庇本体９のＢ−Ｂ断面図、図５は玄関庇本体９のＣ−Ｃ断面図である。図４と図５に示すように玄関庇本体９は、下地板６の軒元部６ｃと水下部６ｄとが挟持部材５、７により上下から挟持された状態になる。  
【００５３】
（屋根材設置工程）
第１屋根材８ａを第１下地板６ａの上面に載せて、双方のフランジ８ｃ、８ｄの内側から各ネジ孔８ｋにネジ１０（図６参照）を通し、第１屋根材８ａを第１上木桟７ａと上フランジ２０ｇに固定する。
次に、第２屋根材８ｂを第２下地板６ｂの上面に載せて、フランジ８ｊを第１屋根材８ａのフランジ８ｉに接合させる。そして、残りのフランジ８ｆ〜８ｈの内側から各ネジ孔８ｋにネジ１０（図６参照）を通し、第２屋根材８ｂを第２上木桟７ｂ、上フランジ２０ｇ、第３上木桟７ｃに固定する。
【００５４】
以上の工程を経て玄関庇１が完成する（図１参照）。この玄関庇１は、屋根材８の上面８ｔが水上側から水下側部へ傾斜している。次に、玄関庇１を建物本体１００のＬ字状の部分１０１に取り付ける方法について図１、図６を用いて説明する。
【００５５】
最初に、枠体２の軒元側および水下側の下フランジ２０ｈをそれぞれ取付金具１１０の水平片１１１に載せる。そして、水平片１１１のボルト孔１１３と下フランジ２０ｈのボルト孔２０ｉとを合わせつつ、軒元部２０ａと水下部２０ｄを床梁１０２、１０３に当接させる。
【００５６】
次に、水平片１１１の下側からボルト１１を水平片１１１のボルト孔１１３と下フランジ２０ｈのボルト穴２０ｉとに通し、枠体２の軒元部２０ａと水下部２０ｄをそれぞれ取付金具１１０に固定する。ここで双方の取付金具１１０、１１０の垂直片１１２、１１２は床梁１０２、１０３に固定されている。したがって、玄関庇１は、軒元側と水下側が取付金具１１０、１１０を介して床梁１０２、１０３に当接して取り付けられる。さらに、床梁１０２、１０３の内側からそれぞれボルト（図示せず）をボルト孔１０５に通し、枠体２の軒元部２０ａと水下部２０ｄを床梁１０２、１０３に固定する。
【００５７】
以上のようにして玄関庇１が床梁１０２、１０３に固定された状態では、図４〜図６に示すように下地板６の軒元部６ｃと、下地板６の水下部６ｄがそれぞれ挟持部材５、７により上下から挟持されている。これにより屋根材８は、図６に示すように補強フレーム２１〜２５と挟持部材５、７とで支持される。したがって、屋根材８に雪が積もっても、従来のように雪の重みで屋根材８が撓んでしまうおそれがなくなる。
【００５８】
また、屋根材８の軒元側および水下側には挟持部材５、７が配置されているため、建物本体１００で火災が発生しても屋根材８に火がまわるのを遅らすことが可能になる。よって、本実施の形態の玄関庇１は、防火機能の低下を抑えつつ、屋根材８の積雪による撓みを防ぐことができる。
【００５９】
また、本実施の形態の玄関庇１では、縦樋（図示せず）を設ける場合に、補強フレーム２１〜２５を枠フレーム２内でＬ字状の部分１０１のコーナー部１０１ａと対向するコーナー部２０ｓを外して並設し、下地板６の上面でコーナー部２０ｓと対応する位置に縦樋を通すための切欠き（挿通部）６ｓを設け、屋根材８で切欠き６ｓと対応する位置に縦樋を通すための挿通穴８ｓを設けた。これにより、縦樋の設置位置が玄関の奥側になるので、玄関の見栄えの低下を抑えることができる。
【００６０】
また、本実施の形態の玄関庇１では、枠フレーム２で右側の床梁１０３と対応する側を水下側、これと対向する側を水上側とし、屋根材８の上面８ｔを水上側から水下側部へ傾斜するように構成した。これにより、屋根材８の挿通穴８ｓに雨水が流れ込みやすくなるので、雨水を効率良く建物の外へ排出することができる。
【００６１】
また、本実施の形態の玄関庇１では、２つの取付金具１１０、１１０と、Ｌ字状の部分１０１のコーナー部１０１ａの３点で位置決めを行うため、玄関庇１の取付時の施工精度
を高めることができる。
【００６２】
なお、屋根材８の傾斜角度（勾配の大きさ）は特に限定しなくても良く、本実施の形態の屋根材８よりも傾斜角度をゆるく設定しても良い（例えば１／１００〜１／２００）。また、図示しないが、屋根材８を傾斜させる場合には、下地板６と各補強フレーム２１〜２５との間にスペーサを入れることが好ましい。スペーサを入れることにより屋根材８の設置状態を安定することができる。
【００６３】
また、本実施の形態の玄関庇１では、補強フレーム２１〜２５を水上側から水下側へ低くなるように形成し、下地板６を補強フレーム２１〜２５の高低差を利用して水上側から水下側部へ傾斜させることにより、屋根材８の上面８ｔを水上側から水下側部へ傾斜するようにした。したがって、補強フレーム２１〜２５の高さを調整するだけで屋根材８を簡単に傾斜させることが可能になるので、雨水を効率良く排出するためのコストを抑えることができる。
【００６４】
また、本実施の形態の玄関庇１では、屋根材８の水下側を箱樋８ｂ（第２屋根材）により構成し、箱樋８ｂの底面に挿通穴８ｓを設けた。これにより、屋根材の水下側から雨水が溢れてしまうのを防ぐことができ、雨水をより効率良く建物の外へ排出できる。
【００６５】
（第２の実施の形態）
図７は、本件発明の第２の実施の形態を示す玄関庇５１の断面図である。図７では、第１の実施の形態と同様の部分には同じ符号を付し、異なる部分を中心にして説明する。
【００６６】
第１の実施の形態の玄関庇１では屋根材８が傾斜するように構成したが、本実施の形態の玄関庇５１では、屋根材１０８を傾斜させずに水平になるように構成されている。
【００６７】
具体的には、第１補強フレーム１２１〜第３補強フレーム１２３の高さを同じ高さに設定して第１屋根材１０８ａを水平に配置する。そして、第４補強フレーム１２４、第５補強フレーム１２５を同じ高さで、且つ、第１補強フレーム１２１〜第３補強フレーム１２３の高さよりも低く設定して、第２屋根材１０８ｂを第１屋根材１０８ａよりも低く水平に配置する。なお、図７では、第１補強フレーム１２１、第２補強フレーム１２２は図示していないが、第３補強フレーム１２３と同じものである。
【００６８】
このように、本実施の形態の玄関庇５１では、玄関庇５１に使用する補強フレームの種類を２種類に抑えることができるので、補強フレームにかかるコストが抑えられ、全体の製造コストを抑えることができる。
【００６９】
（第３の実施の形態）
図８は、本件発明の第３の実施の形態を示す玄関庇２０１の分解斜視図である。図８では、第１の実施の形態と同様の部分には同じ符号を付し、異なる部分を中心にして説明する。
【００７０】
本実施の形態の玄関庇２０１は、枠体２０２、軒天受木桟３、軒天４、下側挟持部材２０５、下地板２０６、上側挟持部材２０７、屋根材２０８とを備えている。この中で、軒天受木桟３と軒天４は第１の実施の形態で説明しているので、本実施の形態ではそれ以外の部材の構成を説明する。
【００７１】
枠体２０２は、第１の実施の形態で説明した枠フレーム２０と、５本の補強フレーム２２１を備えている。補強フレーム２２１は枠フレーム２０内の水上側から水下側に並設されており、枠フレーム２０の変形を防ぐものである。
【００７２】
各補強フレーム２２１の設置に際しては、枠フレーム２０内の軒先側の左コーナー部２２０ｓに補強フレーム２２１が設置されないようにしている。この理由は、左コーナー部２２０ｓに縦樋（図示せず）が配置されることによる。
【００７３】
各補強フレーム２２１は断面コ字状（Ｃ字状）に形成されており、両端が軒元部２０ａの内面と軒先部２０ｂの内面とに結合されている。さらに各補強フレーム２２１は、軒先側の部分２２１ｂが切り欠かれて軒元側の部分２２１ａよりも低く形成されている。また、軒元側の部分２２１ａと軒先側の部分２２１ｂの上面は水平に形成されている。
【００７４】
下側挟持部材２０５、下地板２０６、上側挟持部材２０７は、枠体２０２内で下から順に配置される部材である。以下に、各部材を説明する。
【００７５】
下側挟持部材２０５は、断熱材２０５ａ〜２０５ｆ、軒元側下木桟２０５ｇ、軒先側下木桟２０５ｈを備えている。
【００７６】
断熱材２０５ａ〜２０５ｆは、枠体２内の軒元部２０ａ側に配置される部材である。この断熱材２０５ａ〜２０５ｆは直方体状に形成されている。各断熱材２０５ａ〜２０５ｆを、水上側から順に第１断熱材２０５ａ、第２断熱材２０５ｂ、第３断熱材２０５ｃ、第４断熱材２０５ｄ、第５断熱材２０５ｅ、第６断熱材２０５ｆとする。
【００７７】
第１断熱材２０５ａは、水上部２０ｃと、水上側から１番目の補強フレーム２２１との間の下フランジ２０ｈに配置されるように形成されている。第２断熱材２０５ｂは、水上側から１番目の補強フレーム２２１と２番目の補強フレーム２２１との間の下フランジ２０ｈに配置されるように形成されている。第３断熱材２０５ｃは、水上側から２番目の補強フレーム２２１と３番目の補強フレーム２２１との間の下フランジ２０ｈに配置されるように形成されている。
【００７８】
第４断熱材２０５ｄは、水上側から３番目の補強フレーム２２１と４番目の補強フレーム２２１との間の下フランジ２０ｈに配置されるように形成されている。第５断熱材２０５ｅは、水上側から４番目の補強フレーム２２１と５番目の補強フレーム２２１との間の下フランジ２０ｈに配置されるように形成されている。第６断熱材２０５ｆは、水上側から５番目の補強フレーム２２１と６番目の補強フレーム２２１との間の軒元部２０ａ側の下フランジ２０ｈに配置されるように形成されている。
【００７９】
また、断熱材２０５ａ〜２０５ｆは高さが同じに形成されている。さらに、断熱材２０５ａ〜２０５ｆは、上記の所定位置に配置されたときに、５本の補強フレーム２２１と高さが同じになるように形成されている。
【００８０】
軒元側下木桟２０５ｇは、枠フレーム２０の水下部２０ｄ側の下フランジ２０ｈにおいて、補強フレーム２２１の軒元側の部分２２１ａと並列して配置されるように形成されている。また、軒元側下木桟２０５ｇの高さは、軒元側の部分２２１ａの高さと同じに設定されている。
【００８１】
軒先側下木桟２０５ｈは、枠フレーム２０の水下部２０ｄ側の下フランジ２０ｈにおいて、補強フレーム２２１の軒先側の部分２２１ｂと並列して配置されるように形成されている。また、軒先側下木桟２０５ｈの高さは、軒先側の部分２２１ｂの高さと同じに設定されている。
【００８２】
下地板２０６は、下側挟持部材２０５（断熱材２０５ａ〜２０５ｆ、軒元側下木桟２０５ｇ、軒先側下木桟２０５ｈ）の上側に配置される。この下地板２０６は、軒元側から軒先側にかけての方向で２分割したもの（第１下地板２０６ａ、第２下地板２０６ｂ）から構成されている。
【００８３】
第１下地板２０６ａは矩形の平板状に形成されており、各補強フレーム２２１の軒元側の部分２２１ａ、断熱材２０５ａ〜２０５ｆ、軒元側下木桟２０５ｇに載置される。ここで、軒元側の部分２２１ａ、断熱材２０５ａ〜２０５ｆ、軒元側下木桟２０５ｇは同じ高さを有しているので、第１下地板２０６ａは水平に載置される。
【００８４】
第２下地板２０６ｂは平板状に形成されており、各補強フレーム２２１の軒先側の部分２２１ｂと軒先側下木桟２０５ｈに載置される。また、第２下地板２０６ｂには、枠フレーム２０の左コーナー部２２０ｓと対応する位置に、縦樋（図示せず）を通すための挿通部として切欠き２０６ｓが形成されている。ここで、軒先側の部分２２１ｂと軒先側下木桟２０５ｈは同じ高さを有しているので、第２下地板２０６ｂは水平に載置される。
【００８５】
上側挟持部材２０７は、第１上木桟２０７ａと、第２上木桟２０７ｂと、第３上木桟２０７ｃとを備えている。
【００８６】
第１上木桟２０７ａは棒状に形成されており、第１下地板２０６ａの軒元部２０６ｃの上面に載置される。第２上木桟２０７ｂは棒状に形成されており、第１下地板２０６ａの水下部２０６ｄの上面に載置される。第３上木桟２０７ｃは棒状に形成されており、第２下地板２０６ｂの水下部２０６ｅの上面に載置される。
【００８７】
また、第１上木桟２０７ａと第２上木桟２０７ｂの高さは同じに設定されている。一方、第３上木桟２０７ｃは、第１下地板２０６ａよりも高さ位置が低い第２下地板２０６ｂに載置されるので、載置時に第１上木桟２０７ａおよび第２上木桟２０７ｂと高さ位置が同じなるように、第１上木桟２０７ａと第２上木桟２０７ｂよりも高さが大きく設定されている。
【００８８】
屋根材２０８は、軒元側から軒先側にかけての方向で２分割したもの（第１屋根材２０８ａ、第２屋根材２０８ｂ）から構成されている。
【００８９】
第１屋根材２０８ａは、第１下地板２０６ａに載置されるように平板状に形成されている。第１屋根材２０８ａの軒元側には、載置時に第１上木桟２０７ａの内側面に当接するフランジ２０８ｃが形成されている。第１屋根材２０８ａの軒先側には、載置時に第１下地板２０６ａの軒先側の端面を覆うフランジ２０８ｄが形成されている。
【００９０】
第１屋根材２０８ａの水上側には、枠フレーム２０の水上側の上フランジ２０ｇを覆うフランジ２０８ｅが形成されている。第１屋根材２０８ａの水下側には、第２上木桟２０７ｂを覆うフランジ２０８ｆが形成されている。また、各フランジ２０８ｃ、２０８ｅ、２０８ｆには、複数のネジ孔（図示せず）が設けられている。
【００９１】
第２屋根材２０８ｂは、第２下地板２０６ｂに載置される箱樋から構成されている。第２屋根材２０８ｂの軒元側には、第１屋根材２０８ａの軒先側のフランジ２０８ｄと接合するフランジ２０８ｇが形成されている。第２屋根材２０８ｂの軒先側には、枠フレーム２０の軒先側の上フランジ２０ｇを覆うフランジ２０８ｈが形成されている。第２屋根材２０８ｂの水上側には、枠フレーム２０の水上側の上フランジ２０ｇを覆うフランジ２０８ｉが形成されている。第２屋根材２０８ｂの水下側には、第３上木桟２０７ｃを覆うフランジ２０８ｊが形成されている。
【００９２】
また、第２屋根材２０８ｂの底面には、第２下地板２０６ｂの切欠き２０６ｓと対応する位置に、縦樋（図示せず）を通すための挿通穴２０８ｓが形成されている。また、各フランジ２０８ｉ、２０８ｊ、２０８ｈには、複数のネジ孔（図示せず）が設けられている。
【００９３】
次に、本実施の形態の玄関庇２０１の組立方法について説明する。玄関庇２０１の組立は、第１の実施の形態の玄関庇１と同様に、下側挟持部材設置工程、軒天設置工程、下地板設置工程、上側挟持部材設置工程、屋根材設置工程の順に行う。以下に、各工程について説明する。
【００９４】
（下側挟持部材設置工程）
断熱材２０５ａ〜２０５ｆ、軒元側下木桟２０５ｇ、軒先側下木桟２０５ｈを枠体２０２内の軒元側と水下側にそれぞれ入れ、枠体２０２の外側からネジ１０（図６参照）をネジ孔２０ｆに通して、断熱材２０５ａ〜２０５ｆ、軒元側下木桟２０５ｇ、軒先側下木桟２０５ｈを枠体２０２内に固定する。
【００９５】
（軒天設置工程）
枠体２０２を裏返し、５本の補強フレーム２２１に軒天受木桟３を介して軒天４を載せ、ネジ（図示せず）を用いて軒天４をこれらの補強フレーム２１に固定する。
【００９６】
（下地板設置工程）
枠体２０２を表に戻し、第１下地板２０６ａを、各補強フレーム２２１の軒元側の部分２２１ａ、断熱材２０５ａ〜２０５ｆ、軒元側下木桟２０５ｇに載せて枠体２０２内に配置し、ネジ（図示せず）を用いて各補強フレーム２２１に固定する。
次に、第２下地板２０６ｂを、各補強フレーム２２１の軒先側の部分２２１ｂと軒先側下木桟２０５ｈに載せて枠体２０２内に配置し、ネジ（図示せず）を用いて各補強フレーム２２１に固定する。
ここで、上記で述べたように各補強フレーム２２１の軒先側の部分２２１ｂと軒先側下木桟２０５ｈは、軒元側の部分２２１ａと軒元側下木桟２０５ｇよりも高さが低いので、第２下地板２０６ｂは第１下地板２０６ａよりも高さ位置が低くなる。
【００９７】
（上側挟持部材設置工程）
第１上木桟２０７ａを第１下地板２０６ａの軒元部２０６ｃの上面に載せて枠体２内に配置し、外側からネジ１０（図６参照）をネジ孔２０ｆに通して固定する。
次に、第２上木桟２０７ｂを第１下地板２０６ａの水下部２０６ｄの上面に載せて枠体２０２内に配置し、外側からネジ１０（図６参照）をネジ孔２０ｆに通して固定する。
最後に、第３上木桟２０７ｃを第２下地板２０６ｂの水下部２０６ｅの上面に載せて枠体２０２内に配置し、外側からネジ１０（図６参照）をネジ孔２０ｆに通して固定する。この結果、玄関庇２０１は、図９に示すように、屋根材２０８と、玄関庇本体２０９とになる。
【００９８】
図１０は図９の玄関庇本体２０９のＤ−Ｄ断面図、図１１は玄関庇本体２０９のＥ−Ｅ断面図、図１２は玄関庇本体２０９のＦ−Ｆ断面図である。図１０〜図１２に示すように玄関庇本体２０９は、下地板２０６の軒元部２０６ｃと水下部２０６ｄ、２０６ｅとが挟持部材２０５、２０７により上下から挟持された状態になる。  
【００９９】
（屋根材設置工程）
第１屋根材２０８ａを第１下地板２０６ａの上面に載せて、各フランジ２０８ｃ、２０８ｅ、２０８ｆの内側から各ネジ孔（図示せず）にネジ１０（図６参照）を通し、第１屋根材２０８ａを第１上木桟２０７ａ、第２上木桟２０７ｂ、上フランジ２０ｇに固定する。
次に、第２屋根材２０８ｂを第２下地板２０６ｂの上面に載せて、フランジ２０８ｇを第１屋根材２０８ａのフランジ２０８ｄに接合させる。そして、残りのフランジ２０８ｉ、２０８ｊ、２０８ｈの内側から各ネジ孔（図示せず）にネジ１０（図６参照）を通し、第２屋根材２０８ｂを第３上木桟２０７ｃ、上フランジ２０ｇに固定する。
【０１００】
以上の工程を経て玄関庇２０１が完成する。この玄関庇２０１は、屋根材２０８の上面２０８ｔの軒先側が軒元側よりも低く形成されている。この玄関庇２０１を建物本体１００の２階の床梁１０２、１０３（図１参照）に取り付ける方法については、第１の実施の形態で説明した通りである。
【０１０１】
玄関庇２０１が床梁１０２、１０３に固定された状態では、図１０〜図１２に示すように下地板２０６（第１下地板２０６ａ、第２下地板２０６ｂ）の軒元部２０６ｃ、水下部２０６ｄ、２０６ｅがそれぞれ挟持部材２０５、２０７により上下から挟持されている。したがって屋根材２０８は、５本の補強フレーム２２１と挟持部材２０５、２０７とで支持されるので、屋根材２０８に雪が積もっても、従来のように雪の重みで屋根材２０８が撓んでしまうおそれがなくなる。
【０１０２】
また、屋根材２０８の軒元側および水下側には挟持部材２０５、２０７が配置されているため、建物本体１００で火災が発生しても屋根材２０８に火がまわるのを遅らすことが可能になる。よって、本実施の形態の玄関庇２０１は、防火機能の低下を抑えつつ、屋根材２０８の積雪による撓みを防ぐことができる。
【０１０３】
また、本実施の形態の玄関庇２０１では、屋根材２０８の上面２０８ｔの軒先側を低く形成した。これにより、軒先側に形成されている挿通穴２０８ｓに雨水が流れ込みやすくなるので、雨水を効率良く建物の外へ排出することができる。
【０１０４】
また、本実施の形態の玄関庇２０１では、各補強フレーム２２１の軒元側の部分２２１ａと軒先側の部分２２１ｂの上面を水平に形成したが、これらの上面を軒元側から軒先側へ傾斜するように形成しても良い。この場合には、屋根材２０８が軒元側から軒先側へ向けて傾斜するので、軒先側の挿通穴２０８ｓに雨水がより流れ込みやすくなり、雨水をさらに効率良く建物の外へ排出することができる。
【０１０５】
以上、本件発明にかかる実施の形態を例示したが、この実施の形態は本件発明の内容を限定するものではない。また、本件発明の請求項の範囲を逸脱しない範囲であれば、各種の変更等は可能である。
【０１０６】
例えば、本実施の形態の玄関庇では、下地板の軒元部と水下部を挟持部材で上下から挟持するようにしたが、少なくとも軒元部を挟持すれば良い。この場合でも、屋根材の軒元側が、複数の補強フレームと軒元側の上下の挟持部材とで支持されるので、屋根材の積雪による撓みを防ぐことができ、防火機能の低下を抑えることができる。
【産業上の利用可能性】
【０１０７】
以上説明したように本件発明の玄関庇は、防火機能の低下を抑えつつ、屋根材の積雪による撓みを防ぐことができる。したがって、本件発明は、玄関庇の技術分野で十分に利用することができる。
【符号の説明】
【０１０８】
１    玄関庇
５    下側挟持部材
５ａ〜５ｆ    断熱材
５ｇ  下木桟
６    下地板
６ａ    第１下地板
６ｂ    第２下地板
６ｃ  軒元部
６ｄ  水下部
６ｓ  挿通部
７    上側挟持部材
７ａ    第１上木桟
７ｂ    第２上木桟
７ｃ    第３上木桟
８    屋根材
８ｂ    箱樋
８ｓ    挿通穴
８ｔ    上面
２０    枠フレーム
２０ａ    軒元部
２０ｄ    水下部
２０ｓ    コーナー部
２１〜２５    補強フレーム
５１    玄関庇
１００    建物本体
１０１    Ｌ字状の部分
１０１ａ    コーナー部
１０２、１０３    ２階の床梁
２０１    玄関庇
２０５    下側挟持部材
２０５ａ〜２０５ｆ    断熱材
２０５ｇ    軒元側下木桟
２０５ｈ    軒先側下木桟
２０６    下地板
２０６ａ    第１下地板
２０６ｂ    第２下地板
２０６ｃ    軒元部
２０６ｄ    水下部
２０６ｅ    水下部
２０６ｓ    挿通部
２０７    上側挟持部材
２０７ａ    第１上木桟
２０７ｂ    第２上木桟
２０７ｃ    第３上木桟
２０８    屋根材
２０８ｂ    箱樋
２０８ｓ    挿通穴
２０８ｔ    上面
２２１    補強フレーム
【図１】
0005727235.tif 000002
【図２】
0005727235.tif 000003
【図３】
0005727235.tif 000004
【図４】
0005727235.tif 000005
【図５】
0005727235.tif 000006
【図６】
0005727235.tif 000007
【図７】
0005727235.tif 000008
【図８】
0005727235.tif 000009
【図９】
0005727235.tif 000010
【図１０】
0005727235.tif 000011
【図１１】
0005727235.tif 000012
【図１２】
0005727235.tif 000013